(57)【要約】【課題】手摺りやカーテンフック等の支持体をエレベータ乗りかごに後付けする作業を、作業員が昇降路内に入ることなく、短時間で行なうことができるエレベータ乗りかごの支持体取付構造を提供する。【解決手段】エレベータ乗りかごの支持体取付構造において、エレベータ乗りかごの側板３にこの側板３の外側からの作業を行なうことなくこの側板３の内側からの作業により設けられる取付部７と、取付部７に取付けられてエレベータ乗りかご内に配置される支持体６と、を備え、取付部７に設けられたボルト９が支持体６に挿通され、支持体６に挿通されたボルト９にナット１１を螺合させることにより支持体６が取付部７に取付けられている。【選択図】    図４
2010018374.tif 000002
【特許請求の範囲】
【請求項１】
エレベータ乗りかごの側板にこの側板の外側からの作業を行なうことなくこの側板の内側からの作業により設けられる取付部と、
前記取付部に取付けられて前記エレベータ乗りかご内に配置される支持体と、
を備え、
前記取付部に設けられたボルトが前記支持体に挿通され、前記支持体に挿通された前記ボルトにナットを螺合させることにより前記支持体が前記取付部に取付けられていることを特徴とするエレベータ乗りかごの支持体取付構造。
【請求項２】
エレベータ乗りかごの側板にこの側板の外側からの作業を行なうことなくこの側板の内側からの作業により設けられる取付部と、
前記取付部に取付けられて前記エレベータ乗りかご内に配置される支持体と、
を備え、
前記取付部の外周部に雄ネジ部が形成され、
前記雄ネジ部に螺合される雌ネジ部が形成された覆い部が前記支持体に設けられ、
前記覆い部の前記雌ネジ部を前記取付部の前記雄ネジ部に螺合させることにより前記支持体が前記取付部に取付けられていることを特徴とするエレベータ乗りかごの支持体取付構造。
【請求項３】
エレベータ乗りかごの側板にこの側板の外側からの作業を行なうことなくこの側板の内側からの作業により設けられる取付部と、
前記取付部に取付けられて前記エレベータ乗りかご内に配置される支持体と、
を備え、
前記取付部に第１引掛け部が設けられ、
前記支持体に第２引掛け部が設けられ、
前記第２引掛け部を前記第１引っ掛け部に引っ掛けることにより前記支持体が前記取付部に取付けられていることを特徴とするエレベータ乗りかごの支持体取付構造。
【請求項４】
前記支持体は、上下方向の高さを調節可能な高さ調節部を備えることを特徴とする請求項１ないし３のいずれか一項に記載のエレベータ乗りかごの支持体取付構造。
【発明の詳細な説明】
【技術分野】
【０００１】
本発明は、エレベータ乗りかごの支持体取付構造に関し、特に、手摺りやカーテンフック等の支持体を後付けしたエレベータ乗りかごの支持体取付構造に関する。
【背景技術】
【０００２】
エレベータ乗りかご内に手摺りやカーテンフック等の支持体を取付けたエレベータがあり、この取付けは、例えば、エレベータ乗りかごの側板の外側面にナットを固定し、支持体を固定するボルトを側板を貫通させてナットに螺合させることにより行なわれている（特許文献１参照）。
【０００３】
これらの支持体は、エレベータ乗りかごの製造時から取付けられている場合が多いが、支持体を有しない既存のエレベータ乗りかごに後付けされる場合もある。
【特許文献１】特開２００２−１７９３６６号公報
【発明の開示】
【発明が解決しようとする課題】
【０００４】
既に使用されている既存のエレベータ乗りかごに手摺りやカーテンフック等の支持体を後付けする場合には、エレベータ乗りかごの側板の外側面にナットを固定するため、作業員が昇降路内に入らなければならない。作業員が昇降路内に入って行なう作業は、危険であるとともに長い作業時間を必要としている。
【０００５】
本発明はこのような課題を解決するためになされたもので、その目的は、手摺りやカーテンフック等の支持体をエレベータ乗りかごに後付けする作業を、作業員が昇降路内に入ることなく、短時間で行なうことができるエレベータ乗りかごの支持体取付構造を提供することである。
【課題を解決するための手段】
【０００６】
本発明の実施の形態に係る第１の特徴は、エレベータ乗りかごの支持体取付構造において、エレベータ乗りかごの側板にこの側板の外側からの作業を行なうことなくこの側板の内側からの作業により設けられる取付部と、前記取付部に取付けられて前記エレベータ乗りかご内に配置される支持体と、を備え、前記取付部に設けられたボルトが前記支持体に挿通され、前記支持体に挿通された前記ボルトにナットを螺合させることにより前記支持体が前記取付部に取付けられていることである。
【０００７】
本発明の実施の形態に係る第２の特徴は、エレベータ乗りかごの支持体取付構造において、エレベータ乗りかごの側板にこの側板の外側からの作業を行なうことなくこの側板の内側からの作業により設けられる取付部と、前記取付部に取付けられて前記エレベータ乗りかご内に配置される支持体と、を備え、前記取付部の外周部に雄ネジ部が形成され、前記雄ネジ部に螺合される雌ネジ部が形成された覆い部が前記支持体に設けられ、前記覆い部の前記雌ネジ部を前記取付部の前記雄ネジ部に螺合させることにより前記支持体が前記取付部に取付けられていることである。
【０００８】
本発明の実施の形態に係る第３の特徴は、エレベータ乗りかごの支持体取付構造において、エレベータ乗りかごの側板にこの側板の外側からの作業を行なうことなくこの側板の内側からの作業により設けられる取付部と、前記取付部に取付けられて前記エレベータ乗りかご内に配置される支持体と、を備え、前記取付部に第１引掛け部が設けられ、前記支持体に第２引掛け部が設けられ、前記第２引掛け部を前記第１引っ掛け部に引っ掛けることにより前記支持体が前記取付部に取付けられていることである。
【発明の効果】
【０００９】
本発明によれば、エレベータ乗りかごに支持体を後付けする場合において、エレベータ乗りかごの側板に取付部を設ける作業を作業員が昇降路内に入ることなくエレベータ乗りかごの内側から行なうことができ、エレベータ乗りかごへの支持体の取付け作業を安全にかつ短時間で行なうことができる。
【発明を実施するための最良の形態】
【００１０】
以下、本発明の実施の形態を図面を用いて説明する。
【００１１】
（第１の実施の形態）
本発明の第１の実施の形態に係るエレベータ乗りかごの支持体取付構造を、図１ないし図４に基づいて説明する。
【００１２】
図１は、エレベータ乗りかご１を示す平面図であり、エレベータ乗りかご１は、エレベータ利用者が乗り降りを行なうための開閉ドア２と、開閉ドア２に隣接して位置する一対の側板３と、開閉ドア２に対向して位置する背面板４とを有している。側板３の外側面には、上下方向に延出して側板３を補強する補強板５が取付けられている。
【００１３】
エレベータ乗りかご１の室内には支持体である手摺り６が設けられており、この手摺り６の取付構造について以下に説明する。
【００１４】
側板３の内側面には、取付部である取付板７が取付けられている。側板３への取付板７の取付けは、リベット８を用いて行なわれ、側板３の外側からの作業を行なうことなく側板３の内側からの作業により行なわれている。
【００１５】
取付板７には、手摺り６を固定するための複数のボルト９が固定されている。
【００１６】
手摺り６は、水平向きに延出してエレベータ利用者に把持される手摺り本体６ａと、Ｌ字形に形成されて一端が手摺り本体６ａに固定された複数の取付脚部６ｂと、取付脚部６ｂの他端側に固定された覆い部６ｃとを有している。覆い部６ｃは、取付板７を覆う寸法に形成されている。また、覆い部６ｃには、覆い部６ｃが取付板７を覆った場合に取付板７に固定されているボルト９が挿通される複数の穴１０が形成されている。
【００１７】
取付板７への手摺り６の取付けは、覆い部６ｃが取付板７を覆うように手摺り６を位置させ、覆い部６ｃの穴１０にボルト９を挿通し、穴１０に挿通されたボルト９にナット１１を螺合させることにより行なわれている。
【００１８】
このような構成において、既に使用されている既存のエレベータ乗りかご１に手摺り６を後付けする場合には、側板３に取付板７を取付け、この取付板７に手摺り６を取付けている。
【００１９】
側板３への取付板７の取付けは、リベット８を用いて、側板３の外側からの作業を行なうことなく側板３の内側からの作業により行なうことができる。また、取付板７への手摺り６の取付作業も側板３の内側から行なえる。
【００２０】
このため、エレベータ乗りかご１に手摺り６を後付けする場合に、特に、側板３に取付板７を取付ける場合に作業員が昇降路内に入る必要がなく、エレベータ乗りかご１への手摺り６の後付け作業を、安全に、及び、短時間で行なうことができる。
【００２１】
なお、手摺り６の長さ等により手摺り６に掛かる荷重が大きくなる場合には、必要に応じて取付板７及び取付脚部６ｂの数を増やしたり、取付板７の取付位置を補強板５に近付けたりすることで対応することができる。
【００２２】
（第２の実施の形態）
本発明の第２の実施の形態に係るエレベータ乗りかごの支持体取付構造を、図５ないし図７に基づいて説明する。なお、第２の実施の形態及びこれ以降の実施の形態においては、第１の実施の形態において説明した構成要素と同じ構成要素には同じ符号を付し、重複する説明は省略する。
【００２３】
第２の実施の形態の基本的な構造は第１の実施の形態と同じであり、異なる点は、側板３に取付けられた取付部である取付板１２への支持体である手摺り１３の取付構造である。
【００２４】
側板３への取付板１２の取付けは、第１の実施の形態と同様にリベット８を用い、側板３の外側からの作業を行なうことなく側板３の内側からの作業により行なわれている。取付板１２の外周部には雄ネジ部１４が形成されている。
【００２５】
手摺り１３は、水平向きに延出してエレベータ利用者に把持される手摺り本体１３ａと、Ｌ字形に形成されて一端が手摺り本体１３ａに固定された複数の取付脚部１３ｂと、取付脚部１３ｂの他端側に回転可能に取付けられた覆い部１３ｃとを有している。覆い部１３ｃは、取付板１２を覆う寸法に形成され、内側には雄ネジ部１４に螺合される雌ネジ部１５が形成されている。
【００２６】
取付板１２への手摺り１３の取付けは、覆い部１３ｃが取付板１２を覆うように手摺り１３を位置させ、覆い部１３ｃを回して覆い部１３ｃの雌ネジ部１５を取付板１２の雄ネジ部１４に螺合させることにより行なわれている。
【００２７】
このような構成において、既に使用されている既存のエレベータ乗りかご１に手摺り１３を後付けする場合には、側板３に取付板１２を取付け、この取付板１２に手摺り１３を取付けている。
【００２８】
側板３への取付板１２の取付けは、リベット８を用いて、側板３の外側からの作業を行なうことなく側板３の内側からの作業により行なうことができる。また、取付板１２への手摺り１３の取付けも側板３の内側から行なえる。
【００２９】
このため、エレベータ乗りかご１に手摺り１３を後付けする場合に、特に、側板３に取付板１２を取付ける場合に作業員が昇降路内に入る必要がなく、エレベータ乗りかご１への手摺り１３の後付け作業を、安全に、及び、短時間で行なうことができる。
【００３０】
取付板１２への手摺り１３の取付けは、覆い部１３ｃで取付板１２を覆うとともに覆い部１３ｃの雌ネジ部１５を取付板１２の雄ネジ部１４に螺合させることにより行なわれている。このため、取付板１２に手摺り１３を取付けるためのナットやボルトが不要となり、それらのナットやボルトが見えるためにエレベータ乗りかご１内の美観が損なわれるということが起こらず、エレベータ乗りかご１内部の美観を向上させることができる。
【００３１】
（第３の実施の形態）
本発明の第３の実施の形態に係るエレベータ乗りかごの支持体取付構造を、図８ないし図１０に基づいて説明する。
【００３２】
第３の実施の形態の基本的な構造は第１及び第２の実施の形態と同じであり、異なる点は、側板３に取付けられた取付部である取付板１６への支持体である手摺り１７の取付構造である。
【００３３】
側板３への取付板１６の取付けは、第１の実施の形態と同様にリベット８を用い、側板３の外側からの作業を行なうことなく側板３の内側からの作業により行なわれている。取付板１６の上部側外周部には、第１引掛け部である引掛け凹部１８が形成されている。
【００３４】
手摺り１７は、水平向きに延出してエレベータ利用者に把持される手摺り本体１７ａと、Ｌ字形に形成されて一端が手摺り本体１７ａに固定された複数の取付脚部１７ｂと、取付脚部１７ｂの他端側に固定された覆い部１７ｃとを有している。
【００３５】
覆い部１７ｃは、取付板１６を覆う寸法に形成され、覆い部１７ｃの上部側には、引掛け凹部１８に引掛けられる第２引掛け部である引掛け凸部１９が形成されている。
【００３６】
取付板１６と覆い部１７ｃとは、引掛け凹部１８と引掛け凸部１９とによる引掛け側の下側において、ネジ２０により固定されている。ネジ２０は、覆い部１７ｃに形成された挿通穴２１に挿通され、取付板１６に形成されたネジ穴２２に螺合されている。
【００３７】
このような構成において、既に使用されている既存のエレベータ乗りかご１に手摺り１７を後付けする場合には、側板３に取付板１６を取付け、この取付板１６に手摺り１７を取付けている。
【００３８】
側板３への取付板１６の取付けは、リベット８を用いて、側板３の外側からの作業を行なうことなく側板３の内側からの作業により行なうことができる。また、取付板１６への手摺り１７の取付作業も側板３の内側から行なえる。
【００３９】
このため、エレベータ乗りかご１に手摺り１７を後付けする場合に、特に、側板３に取付板１６を取付ける場合に作業員が昇降路内に入る必要がなく、エレベータ乗りかご１への手摺り１７の後付け作業を、安全に、及び、短時間で行なうことができる。
【００４０】
取付板１６への手摺り１７の取付けは、覆い部１７ｃの引掛け凸部１９を取付板１６の引掛け凹部１８に引掛けことにより取付板１６を覆い部１７ｃで覆い、挿通穴２１に挿通したネジ２０をネジ穴２２に螺合させることにより行なわれている。ネジ２０は、覆い部１７ｃの下側に位置してエレベータ利用者からは見えないようになっている。このため、取付板１６に手摺り１７を取付けるために使用したネジ２０がエレベータ利用者からは見えず、このネジ２０が見えるためにエレベータ乗りかご１内の美観が損なわれるということが起こらず、エレベータ乗りかご１内部の美観を向上させることができる。
【００４１】
（第４の実施の形態）
本発明の第４の実施の形態に係るエレベータ乗りかごの支持体取付構造を、図１１ないし図１３に基づいて説明する。
【００４２】
第４の実施の形態の基本的な構造は第１ないし第３の実施の形態と同じであり、異なる点は、支持体である手摺り２３に高さ調節部２３ｄを設けた点である。
【００４３】
側板３には、第２の実施の形態で説明したように取付板１２が取付けられ、側板３への取付板１２の取付けは、リベット８を用い、側板３の外側からの作業を行なうことなく側板３の内側からの作業により行なわれている。
【００４４】
手摺り２３は、水平向きに延出してエレベータ利用者に把持される手摺り本体２３ａと、一端に雄ネジ部２３ｂが形成されて他端が手摺り本体２３ａに形成された差込穴２３ｃに差し込まれる棒状の高さ調節部２３ｄと、Ｌ字形に形成されて一端に高さ調節部２３ｄの雄ネジ部２３ｂが螺合される雌ネジ部２３ｅが形成された取付脚部２３ｆと、取付脚部２３ｆの他端に回動可能に取付けられた覆い部２３ｇとを有している。取付板１２の外周部には雄ネジ部１４が形成され、覆い部２３ｇの内側には雄ネジ部１４に螺合される雌ネジ部２３ｈが形成されている。なお、高さ調節部２３ｄ及び取付脚部２３ｆは複数設けられている。
【００４５】
高さ調節部２３ｄには長手方向に沿って複数のネジ穴２４が形成され、手摺り本体２３ａには挿通穴２５が形成され、挿通穴２５に挿通したネジ２６を手摺り本体２３ａの差込穴２３ｃに差し込まれた高さ調節部２３ｄのいずれかのネジ穴２４に螺合させることにより、手摺り本体２３ａと高さ調節部２３ｄとが連結されている。
【００４６】
高さ調節部２３ｄは、その雄ネジ部２３ｂを取付脚部２３ｆの雌ネジ部２３ｅに螺合させることにより取付脚部２３ｆに連結されている。
【００４７】
このような構成において、既に使用されている既存のエレベータ乗りかご１に手摺り２３を後付けする場合には、側板３に取付板１２を取付け、この取付板１２に手摺り２３を取付けている。
【００４８】
側板３への取付板１２の取付けは、リベット８を用いて、側板３の外側からの作業を行なうことなく側板３の内側からの作業により行なうことができる。また、取付板１２への手摺り２３の取付作業も側板３の内側から行なえる。
【００４９】
このため、エレベータ乗りかご１に手摺り２３を後付けする場合に、特に、側板３に取付板１２を取付ける場合に作業員が昇降路内に入る必要がなく、エレベータ乗りかご１への手摺り２３の後付け作業を、安全に、及び、短時間で行なうことができる。
【００５０】
手摺り２３は、高さ調節部２３ｄを有しており、この高さ調節部２３ｄによって手摺り本体２３ａの位置を上下方向に調節することができる。手摺り本体２３ａの上下方向への調節は、いずれかのネジ穴２４に螺合されているネジ２６を一旦外し、手すり本体２３ａを上下方向に移動させ、ネジ２６を他のネジ穴２４に螺合させることにより行なうことができる。
【００５１】
このため、エレベータ乗りかご１内に手摺り２３を取付けた後において、必要に応じて手摺り２３の高さ位置を調節することができる。
【００５２】
（第５の実施の形態）
本発明の第５の実施の形態に係るエレベータ乗りかごの支持体取付構造を、図１４ないし図１６に基づいて説明する。
【００５３】
第５の実施の形態の基本的な構造は第１ないし第３の実施の形態と同じであり、異なる点は、側板３への支持体である手摺り２７の取付構造である。
【００５４】
側板３には、取付部である取付穴２８が形成されている。この取付穴２８の形成は、側板３の外側からの作業を行なうことなく側板３の内側からの作業により行なわれている。
【００５５】
手摺り２７は、水平向きに延出してエレベータ利用者に把持される手摺り本体２７ａと、Ｌ字形に形成されて一端が手摺り本体２７ａに固定された複数の取付脚部２７ｂと、取付脚部２７ｂの他端側に固定された取付基部２７ｃと、取付基部２７ｃに形成されて取付穴２８に引掛けられるフック２７ｄとを有している。取付基部２７ｃには、側板３に螺合されて取付基部２７ｃが側板３から浮上がることを防止するためのネジ２９が取付けられている。
【００５６】
このような構成において、既に使用されている既存のエレベータ乗りかご１に手摺り２７を後付けする場合には、側板３に取付穴２８を形成し、フック２７ｄを取付穴２８に引掛けることにより手摺り２７を取付穴２８に取付け、ネジ２９を側板３に螺合させている。
【００５７】
側板３への取付穴２８の形成は、側板３の外側からの作業を行なうことなく側板３の内側からの作業により行なうことができる。また、取付穴２８への手摺り２７の取付作業も側板３の内側から行なえる。
【００５８】
このため、エレベータ乗りかご１に手摺り２７を後付けする場合に、特に、側板３に取付穴２８を形成する場合に作業員が昇降路内に入る必要がなく、エレベータ乗りかご１への手摺り２７の後付け作業を、安全に、及び、短時間で行なうことができる。
【００５９】
（第６の実施の形態）
本発明の第６の実施の形態に係るエレベータ乗りかごの支持体取付構造を、図１７ないし図１９に基づいて説明する。
【００６０】
第６の実施の形態は、支持体であるカーテンフック３０をエレベータ乗りかご１に取付けた構造である。
【００６１】
側板３には、取付部であるポップナット３１が取付けられている。側板３へのポップナット３１の取付けは、側板３に下穴３２を形成し、下穴３２にポップナット３１を挿入して変形させることにより行なわれている。
【００６２】
カーテンフック３０には雄ネジ部３３が形成され、この雄ネジ部３３をポップナット３１の雌ネジ部３４に螺合させることにより、カーテンフック３０がポップナット３１に取付けられている。
【００６３】
このような構成において、既に使用されている既存のエレベータ乗りかご１にカーテンフック３０を後付けする場合には、側板３にポップナット３１を取付け、ポップナット３１の雌ネジ部３４にカーテンフック３０の雄ネジ部３３を螺合させている。
【００６４】
側板３へのポップナット３１の取付けは、側板３の外側からの作業を行なうことなく側板３の内側からの作業により行なうことができる。また、ポップナット３１へのカーテンフック３０の取付作業も側板３の内側から行なえる。
【００６５】
このため、エレベータ乗りかご１にカーテンフック３０を後付けする場合に、特に、側板３にポップナット３１を取付ける場合に作業員が昇降路内に入る必要がなく、エレベータ乗りかご１へのカーテンフック３０の後付け作業を、安全に、及び、短時間で行なうことができる。
【００６６】
なお、上述した第１ないし第４の実施の形態において、取付板７、１２、１６を側板３に取付けるために使用したリベット８に代えてポップナット３１を用いてもよい。
【図面の簡単な説明】
【００６７】
【図１】本発明の第１の実施の形態に係る支持体取付構造を備えたエレベータ乗りかごを示す平面図である。
【図２】第１の実施の形態に係る支持体取付構造を示す正面図である。
【図３】図２に示すＡ−Ａ線断面図である。
【図４】手摺りを取付板に取付ける前の状態を示す分解斜視図である。
【図５】本発明の第２の実施の形態に係る支持体取付構造を示す正面図である。
【図６】図５に示すＢ−Ｂ線断面図である。
【図７】手摺りを取付板に取付ける前の状態を示す分解斜視図である。
【図８】本発明の第３の実施の形態に係る支持体取付構造を示す正面図である。
【図９】図８に示すＣ−Ｃ線断面図である。
【図１０】手摺りを取付板に取付ける前の状態を示す分解斜視図である。
【図１１】本発明の第４の実施の形態に係る支持体取付構造を示す正面図である。
【図１２】図１１に示すＤ−Ｄ線断面図である。
【図１３】手摺りを取付板に取付ける前の状態を示す分解斜視図である。
【図１４】本発明の第５の実施の形態に係る支持体取付構造を示す正面図である。
【図１５】図１４に示すＥ−Ｅ線断面図である。
【図１６】手摺りを取付穴に取付ける前の状態を示す分解斜視図である。
【図１７】本発明の第６の実施の形態に係る支持体取付構造を示す正面図である。
【図１８】図１７に示すＦ−Ｆ線断面図である。
【図１９】カーテンレールをポップナットに取付ける前の状態を示す分解斜視図である。
【符号の説明】
【００６８】
１      エレベータ乗りかご
３      側板
６      手摺り（支持体）
７      取付板（取付部）
９      ボルト
１１      ナット
１２      取付板（取付部）
１３      手摺り（支持体）
１３ｃ    覆い部
１４      雄ネジ部
１５      雌ネジ部
１６      取付板（取付部）
１７      手摺り（支持体）
１８      凹部（第１引掛け部）
１９      凸部（第２引掛け部）
２３      手摺り（支持体）
２３ｄ    高さ調節部
２７      手摺り（支持体）
２８      取付穴（取付部）
３０      カーテンレール（支持体）
３１      ポップナット（取付部）
【図１】
2010018374.tif 000003
【図２】
2010018374.tif 000004
【図３】
2010018374.tif 000005
【図４】
2010018374.tif 000006
【図５】
2010018374.tif 000007
【図６】
2010018374.tif 000008
【図７】
2010018374.tif 000009
【図８】
2010018374.tif 000010
【図９】
2010018374.tif 000011
【図１０】
2010018374.tif 000012
【図１１】
2010018374.tif 000013
【図１２】
2010018374.tif 000014
【図１３】
2010018374.tif 000015
【図１４】
2010018374.tif 000016
【図１５】
2010018374.tif 000017
【図１６】
2010018374.tif 000018
【図１７】
2010018374.tif 000019
【図１８】
2010018374.tif 000020
【図１９】
2010018374.tif 000021